(57)【要約】【課題】  屋内用ブラインド、プリーツスクリーン、ローマンシェード等に使用する昇降コードの下端部をボトムレールに固定する機構であって、複数の昇降コードの長さを容易に調整することができるものを提供する。【解決手段】  ボトムレールの所定位置に取り付け可能なベースと、そのベース内に設けた昇降コードを通す空所と、ベースに少なくとも９０゜水平回転可能に軸支したロックとからなり、ロックは、第１角度位置にあるとき、昇降コード下端部をロックし、第１角度位置に垂直な第２角度位置にあるとき、昇降コード下端部を解放する固定機構において、昇降コードを、ベースの入口から内部の空所の底に設けた昇降コードの直径より浅い通路溝を経て出口に導き、ロックの下面に直交する凸部と凹部を形成する。【選択図】        図１
2005090196.tif 000002
【特許請求の範囲】
【請求項１】
ボトムレール（５）の所定位置に取り付け可能なベース（７）と、前記ベース内に設けた昇降コード（１）の下端部（２）が通る空所（１２）と、前記ベースに少なくとも９０゜水平回転可能に軸支したロック（１０）とからなり、前記ロックは、第１角度位置にあるとき、前記昇降コード下端部（２）をロックし、前記第１角度位置に垂直な第２角度位置にあるとき、前記昇降コード下端部を解放する固定機構（６）において、前記昇降コード下端部は、前記ベースの入口（８）から前記空所（１２）の底（１４）に設けられた前記昇降コードの直径より浅い通路溝（１５）を経て出口（９）に至り、前記ロックは下面に直交する凸部（２２）と凹部（２１）を有し、前記第１角度位置において、前記凸部が、前記通路溝上に位置して前記昇降コード下端部をロックし、前記第２角度位置において、前記凹部が、前記通路溝上に位置して前記昇降コード下端部を解放することを特徴とする昇降コード下端部固定機構。
【請求項２】
入口（８）は、ボトムレール（５）上面に突出するベース（７）の突出部（１１）に設けることを特徴とする請求項１に記載の昇降コード下端部固定機構。
【請求項３】
ロック（１０）は、ベース（７）の空所（１３）の天井（１６）に設けたスリット（１７）に軸受けされる回転軸（１８）と、前記天井の上面に位置する操作ノブ（１９）と、前記空所内に位置して下面に凹部（２１）と凸部（２２）を有するロック盤（２０）とからなることを特徴とする請求項１または２に記載の昇降コード下端部固定機構。
【請求項４】
ロック盤（２０）の中高円板状下面に直径方向に通る凹部（２１）を設け、前記凹部と垂直な直径を中心とする扇形領域に頂上が同心円弧を形成する山形の凸部（２２）を形成すること特徴とする請求項３に記載の昇降コード下端部固定機構。
【請求項５】
操作ノブ（１９）の上面に操作用切り込み（１３）を設けること特徴とする請求項３に記載の昇降コード下端部固定機構。
【発明の詳細な説明】
【技術分野】
【０００１】
本発明は、屋内用ブラインド、プリーツスクリーン、ローマンシェード等に使用する昇降コードの下端部をボトムレール等に固定する機構に関する。
【背景技術】
【０００２】
屋内用ブラインド、プリーツスクリーン、ローマンシェード等に使用する昇降コードの下端をボトムレール等に固定する従来の機構は、ボトムレールの所定位置に取り付け可能なベースと、そのベースに設けた昇降コード孔とからなり、その昇降コード孔に通した昇降コード下端部の結び玉を介してボトムレールに昇降コードを係止する方式である。
【０００３】
従来の機構は、複数の昇降コードの長さを調整するとき、昇降コード下端部の結び玉を解いて結び直すため、複数の昇降コードの長さを揃える作業が厄介であるという問題があった。
【特許文献１】実用新案登録第２６０２２１９号公報
【発明の開示】
【発明が解決しようとする課題】
【０００４】
本発明は、上記問題を解決するためになされたものであり、その課題は、屋内用ブラインド、プリーツスクリーン、ローマンシェード等に使用する昇降コードの下端部をボトムレール等に固定する機構であって、複数の昇降コードの長さを容易に調整することができるものを提供することである。
【課題を解決するための手段】
【０００５】
前記課題を解決するため、本発明が採用する手段は、ボトムレールの所定位置に取り付け可能なベースと、そのベース内に設けた昇降コードを通す空所と、ベースに少なくとも９０゜水平回転可能に軸支したロックとからなり、ロックは、第１角度位置にあるとき、昇降コード下端部をロックし、第１角度位置に垂直な第２角度位置にあるとき、昇降コード下端部を解放する固定機構において、昇降コードの下端部をベースの入口から内部の空所の底に設けた昇降コードの直径より浅い通路溝を経て出口に至るように導き、ロックの下面に直交する凸部と凹部を形成し、第１角度位置においては、凸部が通路溝上に位置して昇降コード下端部を通路溝にロックし、第２角度位置においては、凹部が通路溝上に位置して昇降コード下端部を解放するようにすることである。
【０００６】
ベースは合成樹脂製とし、弾性を利用する凹凸係合によりボトムレールに固定することが好ましいが、ねじ止めすることも可能である。ベースにはボトムレールの上面に出る突出部を設け、その突出部に昇降コード通路の入口を設ける。ロックは、ベースの空所の天井に設けたスリットに軸受けされる回転軸と、その天井の上面に位置する操作ノブと、空所内に位置して下面に凹部と凸部を有するロック盤とから形成することが好ましい。操作ノブの上面に十字形の操作用切り込みを設けてドライバーなどで操作可能とすることが好ましい。
【発明の効果】
【０００７】
本発明の固定機構は、昇降コードの下端部をベースに挿通してロックを９０゜回すと、ロック下面の凸部がロック下面の凸部が昇降コード下端部をベースの浅い通路溝に押圧してロックし、そこから、さらに９０゜回すか又は元に戻すと、ロック下面の凹部が昇降コード下端部を解放する。したがって、屋内用ブラインド、プリーツスクリーン、ローマンシェード等に使用する複数の昇降コードの長さを容易に揃えることができるという効果を奏する。
【発明を実施するための最良の形態】
【０００８】
図面に示す本発明固定機構の実施例に基づいて、本発明を説明する。図１は、実施例を備えたプリーツスクリーンの要部側面図である。、図２ａ、図２ｂ、図２ｃは、実施例の断面図であり、図２ａは昇降コード下端部を挿通する前の状態を、図２ｂは挿通した昇降コード下端部の解放状態を、図２ｃは挿通した昇降コード下端部のロック状態をそれぞれ示す。図３はベースの平面図であり、図４はロックの底面図である。
【０００９】
図１に示すように、図外のヘッドレール内に配置された昇降ドラムに上端部が巻かれた昇降コード１の下端部２は、垂下してプリーツスクリーン３の昇降コード孔４を貫通する。それから、昇降コード下端部２はボトムレール５内に配置される固定機構６のベース７の内部に入口８から入り、ついで、出口９から引き出される。固定機構６のベース７は、弾性を利用して突起２３をボトムレール５の穴２４のはめ込み、ボトムレール５に固定される。
【００１０】
図２ａ、図３に示すように、固定機構６は、合成樹脂製のベース７と、そのベースに水平回転可能に軸受けされた合成樹脂製のロック１０とからなる。ベース７のボトムレール長手方向の一端側にボトムレール５の上面から突出する突出部１１を設ける。ベース７の昇降コードが、直接牽引する操作方式であっても、ドラム巻取り操作方式であっても、空所１２は突出部１１の入口８から垂下し、ついで、ベース７内の空所１２を通り、他端側の出口９に抜ける。空所１２の底１４には出口９に達する通路溝１５を設ける。空所１２の天井１６にはスリット１７を設け、そのスリットにロック１０の回転軸１８を軸受けする。回転軸１８の軸心は通路溝１５の中心を通る。
【００１１】
図２ａ、図４に示すように、ロック１０は回転軸１８の上方に操作ノブ１９を、下方にロック盤２０を備える。操作ノブ１９はベース７の上面に、ロック盤２０は空所１２の内部にそれぞれ位置する。ロック盤２０の中高円板状下面には直径方向に貫通する凹部２１を設け、その凹部と垂直な直径を中心とする扇形領域に頂上が同心円弧を形成する山形の凸部２２を形成する。波線で示すように、操作ノブ１９の上面には十字形の操作用切り込み１３を形成し、ドライバなどで回転操作ができるようにする。
【００１２】
図２ｂに示すように、通路溝１５の深さは、昇降コード１の太さよりも小さいが、操作ノブ１９をボトムレール５の長手方向に平行としたとき、ロック盤２０の凹部２１がベース７の通路溝１５の真上に位置するから、通路溝１５の上には、昇降コード１が自由に往来で着きる空間が生じる。したがって、昇降コード１の下端部２をベース７の入口８から空所１２に通して出口９から引き出すことも、逆に入り口側へ引き抜くことも容易である。
【００１３】
図２ｃに示すように、操作ノブ１９をボトムレール５の長手方向に垂直としたとき、ロック盤２０の凸部２２がベース７の通路溝１５の真上にくる。通路溝１５の深さは、昇降コード１の太さよりも小さいから、ロック盤２０の凸部２２が昇降コード下端部２に食い込み通路溝１５に昇降コード下端部２を押圧してロックする。
【００１４】
上記の通り、本発明の固定機構は、昇降コード１の下端部２をベース７の空所１２の浅い通路溝１５に通し、その通路溝上において、下面に直交する凹部２１と凸部２２を形成したロック１０をベース７に回転可能に軸支し、ロック１０を第１角度位置に回すと、凹部２１が通路溝１５の真上にきて昇降コード１を解放して移動を自由にし、それからどちらかに９０゜回してロック１０を第２角度位置にすると、凸部２２が通路溝１５の真上にきて昇降コード下端部２を通路溝１５にロックする構成であるから、、屋内用ブラインド、プリーツスクリーン、ローマンシェード等に使用する昇降コードが、直接牽引する操作方式とドラム巻取り操作方式のいずれであっても、複数の昇降コードの長さを容易に揃えることができる。
【００１５】
上記実施例は、プリーツスクリーンに関するものであるが、本発明の固定機構は、屋内用ブラインド、ローマンシェードにもそのまま適用することができる。
【図面の簡単な説明】
【００１６】
【図１】実施例を備えたプリーツスクリーンの要部側面図である。、
【図２】実施例の断面図であり、（ａ）は、昇降コード下端部を挿通する前の状態を、（ｂ）は、挿通した昇降コード下端部の解放状態を、（ｃ）は、挿通した昇降コード下端部のロック状態をそれぞれ示す。
【図３】ベースの平面図である。
【図４】ロックの底面図である。
【符号の説明】
【００１７】
１：昇降コード
２：下端部
３：プリーツスクリーン
４：昇降コード孔
５：ボトムレール
６：固定機構
７：ベース
８：入口
９：出口
１０：ロック
１１：突出部
１２：空所
１３：操作用切り込み
１４：底
１５：通路溝
１６：天井
１７：スリット
１８：回転軸
１９：操作ノブ
２０：ロック盤
２１：凹部
２２：凸部
２３：突起
２４：穴
【図１】
2005090196.tif 000003
【図２】
2005090196.tif 000004
【図３】
2005090196.tif 000005
【図４】
2005090196.tif 000006